(57)【要約】      （修正有）【課題】紙を簡単に折り畳んで容器として使用できる調理用折り畳み紙容器を提供する。【解決手段】調理用折り畳み紙容器は、底面部１０と、側壁部２１、２２、２３、２４と、連結部３０と、固定部４０と、を含んで成る。紙容器を展開したとき、底面部、側壁部、連結部及び固定部は、いずれも同一の平面から１つに連結されており、底面部は、紙容器の中央に位置しており、四角形状で構成されている。側壁部は、一端が底面部の角部１１に連結され、他端が外側方向に延長形成され、他端が角部１１に対して折り曲げられる。側壁部は、底面部の角部で連結されているので、計４つから成っている。【選択図】図１
0003235119.tif 000002
【実用新案登録請求の範囲】
【請求項１】
外側面は、紙から成っており、内側面は、金属シートから成る六面体形状の調理用折り畳み紙容器において、
四角形状から成る底面部と、
一端が前記底面部の角部に連結され、他端が外側方向に延長形成され、他端が前記角部に対して折り曲げられる４つの側壁部と、
隣接して配置された前記側壁部の側端を相互連結し、前記側壁部の側端との間に第１折曲線が形成され、内部に前記底面部の頂点から斜線方向に第２折曲線が形成された連結部と、
前記側壁部及び連結部を折り曲げて容器を形成したとき、前記容器が展開されないように固定された状態を維持する多数の固定部と、を含んで成り、
４つの側壁部のうち第１側壁部と第２側壁部は相対するように配置され、第３側壁部と第４側壁部は相対するように配置され、
前記側壁部の他端には、前記連結部の外側端が連続して連結配置され、
いずれか１つの前記固定部は、前記側壁部の他端及び前記連結部の外側端を連結しながら前記第１折曲線が形成された方向に突出形成され、
折曲による容器形成時、前記側壁部及び連結部を一緒に連結する前記固定部は、突出方向の反対方向に折り曲げられて前記側壁部及び連結部が折り曲げられた状態を維持するようにすることを特徴とする調理用折り畳み紙容器。
【請求項２】
いずれか１つの前記固定部は、隣接した２つの側壁部の外側面方向に隣接した２つの側壁部を一緒に覆いながら折り曲げられて、前記側壁部及び連結部が折り曲げられた状態を維持するようにすることを特徴とする請求項１に記載の調理用折り畳み紙容器。
【請求項３】
前記固定部は、自体的に折り畳まれた前記連結部の外側部を覆いながら、前記側壁部の外側面方向に折り曲げられていることを特徴とする請求項２に記載の調理用折り畳み紙容器。
【請求項４】
前記第３側壁部及び第４側壁部には、それぞれ２つの第３折曲線が斜線方向に形成され、
２つの前記第３折曲線は、それぞれ一端が前記底面部の頂点に連結され、他端が相互連結されて前記底面部の角部と一緒に三角形状を成し、
前記第１側壁部、第２側壁部及び連結部が内方に折り畳まれ、前記連結部、第３側壁部及び第４側壁部が前記第２折曲線と第３折曲線に沿って一緒に内方に折り曲げられた状態で、前記固定部は隣接して配置された前記側壁部の外側面方向に１８０°折り曲げられることを特徴とする請求項３に記載の調理用折り畳み紙容器。
【請求項５】
前記固定部は、前記第１折曲線が形成された方向で最も多く突出していることを特徴とする請求項１に記載の調理用折り畳み紙容器。
【請求項６】
前記第１側壁部及び第２側壁部の他端には、把持部が突出形成されたことを特徴とする請求項１に記載の調理用折り畳み紙容器。
【請求項７】
前記連結部は、折り曲げられた後、前記第３側壁部及び第４側壁部に密着され、前記第２折曲線と第３折曲線は、同一の位置に配置されることを特徴とする請求項４に記載の調理用折り畳み紙容器。
【請求項８】
前記第３側壁部及び第４側壁部には、２つの前記第３折曲線の他端が連結される部位に外側方向に折り曲げられる折曲防止突起が切開されて形成されたことを特徴とする請求項４に記載の調理用折り畳み紙容器。
【請求項９】
折曲による容器形成後、前記第３側壁部と第４側壁部を前記第３折曲線を基準に前記底面部の方向に押して折り曲げさせ、
前記第３側壁部と第４側壁部は、それぞれ前記第３折曲線を基準に畳み込まれ、
前記第３側壁部及び第４側壁部の上部には、前記連結部と第１側壁部、前記連結部と第２側壁部がそれぞれ積層されて前記第１側壁部及び第２側壁部が前記底面部と対面するように折り畳まれることを特徴とする請求項４に記載の調理用折り畳み紙容器。
【考案の詳細な説明】
【技術分野】
【０００１】
本考案は、調理用折り畳み紙容器に関し、特に紙を簡単に折り畳んで容器として使用できる調理用折り畳み紙容器に関する。
【背景技術】
【０００２】
社会が都市化され生活がより忙しくなるにつれて自然を楽しみたいという欲求が大きくなっており、これにより余暇時間に郊外に出て野外活動をするアウトドア人口が増えている。
これに対応して様々な種類のアウトドア用品が発売されており、これらのうち屋外で飲食物を調理して食べるための多様な種類の調理容器が生産されている。
【０００３】
調理容器の中で使い捨て調理容器の使用が徐々に増える傾向にあるが、これは主に紙材質で成されて、その重量が軽く、使い捨てなので洗浄する必要がないという、非常に便利な利点がある。
使い捨て調理容器は、非折り畳み式調理容器と折り畳み式容器とに分けられる。
このうち、非折り畳み式調理容器は折り畳めない構造になっており、代表的にカップラーメンの容器がある。
【０００４】
また、折り畳み式調理容器は、携帯及び保管時に体積を減らすことができるように折り畳める構造になっており、折り畳まれた壁体を伸ばし立てて、内部に汁物やスープのような食べ物を入れてガスレンジなどを利用して加熱することにより、飲食物を調理することができる。
しかし、従来の折り畳み式調理容器によると、その構造が複雑で消費者が直接調理容器を折り畳むのに困難があった。
【考案の概要】
【考案が解決しようとする課題】
【０００５】
本考案は、上述した問題点を解決するためのものであって、その構造が簡単で、消費者が簡単かつ迅速に折り畳んで紙容器を使用できる調理用折り畳み紙容器を提供することにその目的がある。
【考案を解決するための手段】
【０００６】
上述した目的を解決するために、本考案の調理用折り畳み紙容器は、外側面は紙から成り、内側面は金属シートから成る六面体形状の調理用折り畳み紙容器において、四角形状から成る底面部と、一端が前記底面部の角部に連結され、他端が外側方向に延長形成され、他端が前記角部に対して折り曲げられる４つの側壁部と、隣接して配置された前記側壁部の側端を相互連結し、前記側壁部の側端との間に第１折曲線が形成され、内部に前記底面部の頂点から斜線方向に第２折曲線が形成された連結部と、前記側壁部及び連結部を折り曲げて容器を形成したとき、前記容器が展開されないように固定された状態を維持する多数の固定部と、を含んで成り、４つの側壁部のうちの第１側壁部と第２側壁部は相対するように配置され、前記第３側壁部と第４側壁部は相対するように配置され、前記側壁部の他端には、前記連結部の外側端が連続して連結配置され、いずれか１つの前記固定部は、前記側壁部の他端及び前記連結部の外側端を連結しながら前記第１折曲線が形成された方向に突出形成され、折曲による容器形成時、前記側壁部及び連結部を一緒に連結する前記固定部は、突出方向の反対方向に折り曲げられて前記側壁部及び連結部が折り曲げられた状態を維持するようにする。
【０００７】
いずれか１つの前記固定部は隣接した２つの側壁部の外側面方向に隣接した２つの側壁部を一緒に覆いながら折り曲げられて、前記側壁部及び連結部が折り曲げられた状態を維持するようにする。
前記固定部は、自体的に折り畳まれた前記連結部の外側部を覆いながら、前記側壁部の外側面方向に折り曲げられている。
【０００８】
前記第３側壁部及び第４側壁部には、それぞれ２つの第３折曲線が斜線方向に形成され、２つの前記第３折曲線は、それぞれ一端が前記底面部の頂点に連結され、他端が相互連結されて前記底面部の角部と一緒に三角形状を成し、前記第１側壁部、第２側壁部及び連結部が内方に折り畳まれ、前記連結部、第３側壁部及び第４側壁部が前記第２折曲線と第３折曲線に沿って一緒に内方に折り曲げられた状態で、前記固定部は隣接して配置された前記側壁部の外側面方向に１８０°折り曲げられる。
前記固定部は、前記第１折曲線が形成された方向で最も多く突出している。
前記第１側壁部及び第２側壁部の他端には、把持部が突出形成される。
前記連結部は、折り曲げられた後、前記第３側壁部及び第４側壁部に密着され、前記第２折曲線と第３折曲線は、同一の位置に配置される。
前記第３側壁部及び第４側壁部には、２つの前記第３折曲線の他端が連結される部位に外側方向に折り曲げられる折曲防止突起が切開されて形成される。
【０００９】
折曲による容器形成後、前記第３側壁部と第４側壁部を前記第３折曲線を基準に前記底面部方向に押して折り曲げさせ、前記第３側壁部と第４側壁部はそれぞれ前記第３折曲線を基準に畳み込まれ、前記第３側壁部及び第４側壁部の上部には、前記連結部と第１側壁部、前記連結部と第２側壁部がそれぞれ積層されて前記第１側壁部及び第２側壁部が前記底面部と対面するように折り畳まれる。
【考案の効果】
【００１０】
以上で説明した本考案の調理用折り畳み紙容器によれば、次のような効果がある。
その構造が簡単であるので、消費者が迅速かつ簡単に折り畳んで紙容器を使用することができる。
特に、固定部によって折り畳まれた紙容器が任意に展開されずに、折り畳まれた紙容器の形状をそのまま維持することができる。
【図面の簡単な説明】
【００１１】
【図１】本考案の実施形態に係る調理用折り畳み紙容器の展開図である。
【図２】本考案の実施形態に係る調理用折り畳み紙容器の折り畳み過程を示す平面図である。
【図３】図２において側壁部を一部立てた状態の斜視図である。
【図４】図３において側壁部を完全に立てた状態の斜視図である。
【図５】図４において折曲防止突起を折り曲げて紙容器を完成した状態の斜視図である。
【図６】本考案の実施形態に係る調理用折り畳み紙容器を小さく折り畳む過程を示した斜視図である。
【図７】図６において調理用折り畳み紙容器を小さく折り畳んで完成した状態の斜視図である。
【考案を実施するための形態】
【００１２】
本考案の調理用折り畳み紙容器は外側面は紙から成り、内側面は金属シートから成る六面体形状で構成されている。
【００１３】
このような本考案の調理用折り畳み紙容器は、図１〜図５に示すように、底面部１０と、側壁部（２１、２２、２３、２４）と、連結部３０と、固定部４０と、を含んで成る。
【００１４】
紙容器を展開したとき、前記底面部１０、側壁部（２１、２２、２３、２４）、連結部３０及び固定部４０は、いずれも同一の平面から１つに連結されており、それぞれの位置及び区域を命名したものである。
前記底面部１０は、紙容器の中央に位置しており、四角形状で構成されている。
【００１５】
前記側壁部（２１、２２、２３、２４）は、一端が前記底面部１０の角部１１に連結され、他端が外側方向に延長形成され、他端が前記角部１１に対して折り曲げられる。
前記側壁部（２１、２２、２３、２４）は、前記底面部１０の角部１１で連結されているので、計４つから成っている。
【００１６】
より具体的には、４つの側壁部（２１、２２、２３、２４）のうち第１側壁部２１と第２側壁部２２は、相対するように配置され、前記第３側壁部２３と第４側壁部２４は、相対するように配置される。
前記側壁部は、略四角形状から成っているが、四角形状ではなく他の形状、例えば、外部に突出した他端が曲線から成っても良い。
前記連結部３０は、４つから成り、隣接して配置された前記側壁部の側端を相互連結する。
【００１７】
前記側壁部の他端には、前記連結部３０の外側端が連続して連結配置されている。
前記連結部３０は、前記側壁部の側端との間に第１折曲線３１が形成され、内部に前記底面部１０の頂点から斜線方向に第２折曲線３２が形成されている。
前記第１折曲線３１を基準に前記連結部３０と側壁部が折り曲げられ、前記第２折曲線３２を基準に前記連結部３０そのものが折り曲げられる。
前記固定部４０は、前記側壁部及び連結部３０を折り曲げて容器を形成したとき、前記容器が展開されないように固定された状態を維持する。
【００１８】
本考案では、前記固定部４０は、計４つから成っており、いずれか１つの前記固定部４０は、前記側壁部の他端及び前記連結部３０の外側端を連結しながら前記第１折曲線３１が形成された方向に突出形成されている。
【００１９】
折曲による容器形成時、前記側壁部及び連結部３０を一緒に連結する前記固定部４０は、突出方向の反対方向に折り曲げられて前記側壁部及び連結部３０が折り曲げられた状態を維持する。
【００２０】
より具体的には、前記固定部４０は、隣接した２つの側壁部の外側面方向に隣接した２つの側壁部を一緒に覆いながら折り曲げられて、前記側壁部及び連結部３０が折り曲げられた状態を維持する。
前記固定部４０は、前記第２折曲線３２に沿って自体的に折り畳まれた前記連結部３０の外側部を覆いながら、前記側壁部の外側面方向に折り曲げられている。
【００２１】
上記のように、前記側壁部及び連結部３０を一緒に連結している前記固定部４０が外側方向に折り曲げられることによって、折り畳まれた前記側壁部及び連結部３０が展開されることを防止することができる。
前記固定部４０は、突出した長さがすべて同一になっても良く、前記第１折曲線３１が形成された方向で最も多く突出していても良い。
【００２２】
前記固定部４０が前記第１折曲線３１が形成された方向に最も多く突出した形状に形成されることによって、折り曲げられた前記固定部４０がより強固に前記側壁部及び連結部３０が展開されないようにすることができる。
相対する前記第１側壁部２１及び第２側壁部２２の他端には、把持部２７が突出形成されている。
また、相対する第３側壁部２３及び第４側壁部２４には、それぞれ２つの第３折曲線２６が斜線方向に形成されている。
２つの前記第３折曲線２６は、それぞれ一端が前記底面部１０の頂点に連結され、他端が相互連結されて前記底面部１０の角部１１と一緒に三角形状を成す。
【００２３】
前記第１側壁部２１、第２側壁部２２及び連結部３０が内方に折り畳まれ、前記連結部３０、第３側壁部２３及び第４側壁部２４が、前記第２折曲線３２と第３折曲線２６に沿って一緒に内方に折り曲げられた状態で、前記固定部４０は、隣接して配置された前記側壁部の外側面方向に１８０°折り曲げられる。
これにより、隣接した側壁部及び連結部３０が任意に展開されることを防止することができる。
【００２４】
前記連結部３０は、折り曲げられた後、前記第３折曲線２６が形成された前記第３の側壁部２３及び第４側壁部２４に密着され、前記第２折曲線３２と第３折曲線２６は、互いに同一の位置に配置される。
【００２５】
前記第３折曲線２６が形成された前記第３の側壁部２３及び第４側壁部２４には、２つの前記第３折曲線２６の他端が連結される部位に外側方向に折り曲げられる折曲防止突起２８が切開されて形成される。
【００２６】
前記折曲防止突起２８が外側方向に折り曲げられることにより、前記第３側壁部２３及び第４側壁部２４が前記第３折曲線２６によって任意に折り曲げられることを防止することができ、これにより前記側壁部の剛性を増大させることができる。
以下、上述した構成から成る本考案の折り畳み過程について説明する。
図１に示すように、すべての構成要素が展開された状態で、図２（ａ）に示すように、第１側壁部２１と第２側壁部２２を内方に折る。
【００２７】
この時、前記第１側壁部２１及び第２側壁部２２に連結された前記連結部３０も一緒に折り畳まれる。
前記第１側壁部２１及び第２側壁部２２は、前記角部１１を中心に折り畳まれ、前記連結部３０は、前記第１折曲線３１を中心に折り畳まれる。
この時、前記第２折曲線３２と第３折曲線２６は、互いに同一の位置に配置される。
【００２８】
次に、図２（ｂ）に示すように、相互重なった前記連結部３０及び第３側壁部２３を前記第２折曲線３２及び第３折曲線２６を中心に内方に折り畳み、相互重なった前記連結部３０及び第４側壁部２４を前記第２折曲線３２及び第３折曲線２６を中心に内方に折り畳む。
前記連結部３０、第３側壁部２３及び第４側壁部２４を折り畳んだ以降は、図２（ｃ）に示すように、前記固定部４０を外方向に折り曲げる。
この時、前記固定部４０は、前記連結部３０の外側端を覆いながら、前記側壁部の外側面方向に１８０°折り曲げられる。
【００２９】
即ち、前記固定部４０は、図２（ｂ）に示すように折曲により隣接して配置された前記側壁部の外側面方向に隣接して配置された側壁部の外側面を覆いながら、１８０°折り曲げられる。
【００３０】
つまり、４つの前記固定部４０は、それぞれ前記第１側壁部２１と第３側壁部２３、第１側壁部２１と第４側壁部２４、第２側壁部２２と第３側壁部２３、第２側壁部２２と第４側壁部２４を覆いながら外方に折り曲げられる。
【００３１】
この時、前記固定部４０が前記側壁部の外側面方向に折り曲げられることにより、前記固定部４０は、前記第２折曲線３２を介して折り畳まれた前記連結部３０の外側部を覆いながら、前記側壁部の外側面方向に折り曲げられる。
【００３２】
そして、前記固定部４０は、前記連結部３０、第３側壁部２３及び第４側壁部２４を折り畳んだ状態で、外部に突出した前記固定部４０をそのまま１８０°折り畳めば良いので、前記固定部４０の折り畳み作業が容易になる。
次に、図３に示すように、内方に折り畳まれている前記第１側壁部２１及び第２側壁部２２を掴んで立てる。
【００３３】
前記第１側壁部２１と第２側壁部２２を掴んで立てると、図４に示すように、前記第３側壁部２３及び第４側壁部２４も一緒に立てられ、六面体形状の紙容器が形成されるようになる。
【００３４】
この時、前記固定部４０は、隣接して９０°に配置された２つの側壁部の外側面を覆っており、これにより折り畳まれた前記連結部３０が展開されることを防止することができる。
【００３５】
次に、図５に示すように、前記第３側壁部２３及び第４側壁部２４に形成された前記折曲防止突起２８を外方に折り曲げて、第３折曲線２６によって前記第３側壁部２３及び第４側壁部２４が崩れることなく強固な状態で六面体の紙容器形状を維持することができる。
紙容器を完成すると、その中にラーメンなどの飲食物を入れた後、熱を利用して加熱することができる。
このように、本考案は、簡単に折り畳んで紙容器を形成し、形成された紙容器が強固な状態を維持することができる。
また、前記連結部３０を折り畳み、前記固定部４０を固定しているので、紙容器の内部に汁物があっても外へ流出することを防止することができる。
【００３６】
一方、本考案は、図１に示すように、紙容器全体が展開された状態のまま消費者に提供しても良いが、使い易さ及び体積を減らすために図２（ｃ）に示した状態で消費者に提供することが望ましい。
【００３７】
図２（ｃ）に示すように、折り畳まれた状態でユーザーに提供すれば、ユーザーは、図３〜図５に示した手順により簡単且つ迅速に紙容器を形成することができるので、使い易い効果がある。
また、図６及び図７に示した状態に折り畳まれて消費者に提供されるようにすることもできる。
【００３８】
このような過程を詳細に見てみると、一旦、図４に示すように紙容器を形成した後、図６に示すように前記第３側壁部２３と第４側壁部２４を前記第３折曲線２６を基準に前記底面部１０方向に押して折り曲げさせる。
【００３９】
この時、前記第３側壁部２３と第４側壁部２４は、それぞれ前記第３折曲線２６を基準に畳み込まれ、前記第３側壁部２３及び第４側壁部２４の上部には、前記連結部３０と第１側壁部２１、前記連結部３０と第２側壁部３２がそれぞれ積層されて、前記第１側壁部２１及び第２側壁部２２が前記底面部１０と対面するように折り畳まれる。
【００４０】
これにより、図７に示すように、下部には前記底面部１０が配置され、上部には前記第１側壁部２１と第２側壁部２２が配置され、前記連結部３０、第３側壁部２３及び第４側壁部２４は、内方に配置されて露出せず、前記底面部１０と同一の四角形状に折られることにより、そのサイズを減らすことができる。
【００４１】
このような状態で、紙容器を形成しようとする場合には、前記第１側壁部２１と第２側壁部２２を掴んで立てると、図４に示すような状態となり、図５に示されたように前記折曲防止突起２８を折って完成することになる。
本考案の調理用折り畳み紙容器は、前述した実施例に限らず、本考案の技術思想が許容される範囲内で様々に変形して実施することができる。
【産業上の利用可能性】
【００４２】
本考案は、ラーメンなどを沸かすことのできる調理用紙容器に適用することができるので、産業上の利用可能性がある。
【図１】
0003235119.tif 000003
【図２】
0003235119.tif 000004
【図３】
0003235119.tif 000005
【図４】
0003235119.tif 000006
【図５】
0003235119.tif 000007
【図６】
0003235119.tif 000008
【図７】
0003235119.tif 000009